【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
第１の容積と、前記第１の容積への第１の開口部と、を含む入口ユニットと、
取り外し可能に構成されたフィルタ構造体を選択的に収容するための第２の容積および該第２の容積への第２の開口部を有する出口ユニットと、を備え、
前記フィルタ構造体が前記第１および第２の容積を区切っており、
前記入口ユニットが前記出口ユニットに取り付けられるとき前記第１および第２の開口部は正反対の位置にあり、前記フィルタ構造体は前記第１の開口部を通して観察または操作のために露出される、
フィルタホルダ。
【請求項２】
前記出口ユニットに取り外し可能に付き、前記入口ユニットを前記出口ユニットに取り外し可能に取り付けるよう構成されたナットをさらに備え、
前記第１の開口部は前記ナットを通して露出される、
請求項１に記載のフィルタホルダ。
【請求項３】
前記第１の容積は、試薬を収容できるように構成された、
請求項１または２に記載のフィルタホルダ。
【請求項４】
前記出口ユニットおよび前記フィルタ構造体に関し取り外し可能に配置された少なくとも一つのガスケットをさらに備え、
前記ガスケットは、前記第１の開口部および前記第２の開口部に位置合わせした第３の開口部を有する、
請求項１から３のいずれかに記載のフィルタホルダ。
【請求項５】
前記出口ユニットは、前記少なくとも一つのガスケットを前記第２の容積に関して収容するための座部を備え、
前記少なくとも一つのガスケットの外周は、前記座部の外周と本質的に同じであり、
前記入口ユニット、前記ガスケット、および前記フィルタ構造体は、前記ナットにより前記出口ユニットに取り外し可能に取り付けられており、
これにより前記フィルタ構造体は平らなままであり、ねじり力を受けることなく、圧縮されて前記入口ユニットおよび前記出口ユニットと密封を形成する、
請求項１から４のいずれかに記載のフィルタホルダ。
【請求項６】
前記出口ユニットおよび前記フィルタ構造体に関して配置された複数のガスケットをさらに備え、
前記複数のガスケットのそれぞれが、前記第１の開口部および前記第２の開口部と位置合わせされたガスケット開口部を有する、
請求項１から５のいずれかに記載のフィルタホルダ。
【請求項７】
前記出口ユニットは、前記第２の開口部で出口容器の取り付けに役立つよう構成されている、
請求項１から６のいずれかに記載のフィルタホルダ。
【請求項８】
前記出口容器は、オスまたはメスの入力接続を有する注射器またはバキュテナーホルダを含み、
前記第２の開口部は、前記注射器または前記バキュテナーホルダの前記オスまたはメスの入力接続を取り付けるための出口出力を有する、
請求項７に記載のフィルタホルダ。
【請求項９】
前記入口ユニットは、サンプル入力容器を取り付けるためのアダプタ入力および前記サンプル入力容器から前記第１の容積へのサンプル材料の少なくとも一部の流れを可能にする前記第１の容積に通じるアダプタ出力を有する入口アダプタをさらに有する、
請求項１から８のいずれかに記載のフィルタホルダ。
【請求項１０】
請求項１から９のいずれかに記載のフィルタホルダの中へマイクロフィルタを配置することを含む分析を行う方法であって、
前記マイクロフィルタを前記出口ユニットの前記第２の容積に関して選択的に配置することと、
前記少なくとも一つのガスケットを前記マイクロフィルタ上または該マイクロフィルタの下に選択的に配置することと、
前記少なくとも一つのガスケットが前記マイクロフィルタの下にあるときまたは前記マイクロフィルタの下にガスケットがないとき、前記入口ユニットを該マイクロフィルタ上に取り外し可能に配置するか、または前記少なくとも一つのガスケットが前記マイクロフィルタ上にあるとき、前記入口ユニットを前記少なくとも一つのガスケット上に取り外し可能に配置することと、
前記入口ユニットおよび前記マイクロフィルタを前記出口ユニットに取り外し可能に取り付けるためにナットを該出口ユニットに取り付けることと、を含み、前記第１の開口は前記ナットを通して露出されており、
前記入口ユニットが前記出口ユニットに取り付けられるとき前記第１および第２の開口は正反対に位置し、前記マイクロフィルタは該第１の開口を通して観察または操作のために露出されており、
前記フィルタホルダにサンプルを配置することと、
サンプルを前記マイクロフィルタに通すことと、
前記フィルタホルダから前記マイクロフィルタを取り外すことなく、該フィルタホルダの該マイクロフィルタに集められた材料の分析を行うことと、
を含む、分析を行う方法。
【請求項１１】
請求項１から９のいずれかに記載のフィルタホルダ、および出力容器を有するシステムであって、前記出力容器は、
液体を収容するための出力容器容積と、
前記出口ユニットの前記第２の開口への接続を受け入れるよう構成された、前記容積の内側への第１の出力容器開口と、
サンプルを選択的に解放するための前記出力容器容積の内側への第２の出力容器開口と、
を有し、前記第２の出力容器開口部に吸引力が加えられるとき、前記サンプルは、前記フィルタホルダの前記第１および第２の開口を通り前記フィルタ構造体を介して前記出力容器に入る、前記システム。
【請求項１２】
前記出力容器は、シリンジポンプ、真空ポンプまたはバキュテナーのいずれか１つとして構成された、
請求項１１に記載のシステム。
【請求項１３】
請求項１から９のいずれかに記載のフィルタホルダ、およびバキュテナーホルダを有するシステムであって、前記バキュテナーホルダは、
バキュテナーを挿入するための第１のバキュテナー開口と、
前記出口ユニットの前記第２の開口に通じる第２のバキュテナー開口と、
を有し、
前記バキュテナーホルダにバキュテナーが挿入されるとき、前記第２のバキュテナー開口に吸引力が加えられ、これにより前記サンプルが前記フィルタホルダの前記第１および第２の開口を通り前記フィルタ構造体を介して前記バキュテナーに入る、前記システム。
【請求項１４】
請求項１１から１３のいずれかに記載のシステムであって、さらに入力容器を有し、該入力容器は、
流体を収容するための入力容器容積と、
サンプルを前記入力容器容積に入れるための前記入力容器容積の内部への第１の入力容器開口と、
前記入口ユニットの前記第１の開口への接続を提供するよう構成された第２の入力容器開口と、を備え、  
前記第２の出力容器開口に吸引力が加えられるとき、前記サンプルが前記第１の入力容器から前記フィルタホルダの前記第１および第２の開口を通り前記フィルタ構造体を介して前記出力容器に至る、前記システム。
【請求項１５】
請求項１から９のいずれかに記載のフィルタホルダと、
前記入口ユニットの前記第１の開口で前記フィルタホルダに選択的に通り付け可能な、流体を引き込むための中空針と、
バキュテナーホルダと、
を備えるシステムであって、前記バキュテナーホルダは、
バキュテナーを挿入するための第１のバキュテナー開口と、
前記出口ユニットの前記第２の開口に通じる第２のバキュテナー開口と、
を有し、
バキュテナーが前記バキュテナーホルダに挿入されるとき、前記第２のバキュテナー開口に吸引力が加えられ、これにより前記サンプルが前記針を介して前記フィルタホルダの前記第１および第２の開口を通り前記フィルタ構造体を介してバキュテナーに入る、前記システム。
【請求項１６】
請求項１から９のいずれかに記載のフィルタホルダに配置されたマイクロフィルタを通して流体を引き込む方法であって、
前記出口ユニットの前記第２の容積に関し前記マイクロフィルタを選択的に配置することと、
前記入口ユニットおよび前記フィルタを前記出口ユニットに取り外し可能に固定するため前記出口ユニットに前記ナットを取り付けることと、を含み、
前記入口ユニットが前記出口ユニットに取り付けられるとき前記第１および第２の開口は正反対であり、前記フィルタ構造体は前記第１の開口を通して観察または操作のために露出され、
前記出口ユニットの前記第２の開口にバキュテナーを取り付けることと、
前記第２のバキュテナー開口に吸引力を加えるため、前記バキュテナーホルダにバキュテナーを挿入することと、
前記フィルタホルダの第１および第２の開口を通し前記マイクロフィルタを介してサンプルを前記バキュテナーに引き込むことと、
を含む前記方法。
【請求項１７】
前記フィルタホルダに流体を引き込むための中空針を前記入口ユニットの前記第１の開口に選択的に取り付けることをさらに含み、
前記マイクロフィルタを通して前記サンプルを引き込むことは、前記針を介し、前記フィルタホルダの前記第１および第２の開口を通り前記マイクロフィルタを介して前記バキュテナーに前記サンプルを引き込むことを含む、請求項１６に記載の方法。